(57)【特許請求の範囲】
【請求項１】
汚物を受けるボウル部と、
前記ボウル部の下方部に接続された排水トラップ管路と、
を備え、
前記排水トラップ管路は、
前記ボウル部の下方部に一端側が連続するまたは接続された入口管部と、
前記入口管部の他端側に一端側が連続してまたは接続されて上昇流路を形成するトラップ上昇管部と、
前記トラップ上昇管部の他端側に一端側が連続してまたは接続されて下降流路を形成するトラップ下降管部と、
を有しており、
前記上昇流路の流路方向に垂直な断面において、前記上昇流路の下流側の一部には、前記上昇流路の上流側の流路断面積よりも大きい流路断面積を有する拡大部が形成されており、
前記拡大部は、前記上昇流路の上方側において拡大されており、
前記拡大部の頂面の上流側端は、前記上昇流路の底面の最高到達位置よりも低く、且つ、初期水位の溜水面よりも低い位置にある
ことを特徴とする洗い落し式水洗大便器。
【請求項２】
前記上昇流路の下流端には、前記上昇流路の上流側の流路断面積よりも小さい流路断面積を有する縮小部が形成されている
ことを特徴とする請求項１に記載の洗い落し式水洗大便器。
【請求項３】
前記上昇流路の底面は、前記上昇流路の流路方向に垂直な断面において、前記上昇流路の上流端から少なくとも前記拡大部の上流端まで略同一の曲率半径で形成されている
ことを特徴とする請求項１または２に記載の洗い落し式水洗大便器。
【請求項４】
前記上昇流路の流路方向に垂直な断面に関して、前記上昇流路の前記拡大部の底面は、略一定の断面形状を有している
ことを特徴とする請求項１乃至３のいずれかに記載の洗い落し式水洗大便器。
【請求項５】
前記上昇流路の前記拡大部の頂面の少なくとも一部は、略鉛直方向に延在する壁面によって形成されている
ことを特徴とする請求項１乃至４のいずれかに記載の洗い落し式水洗大便器。
【請求項６】
前記上昇流路の前記拡大部の頂面の少なくとも一部は、前記上昇流路の流路方向に垂直な断面において、上に凸の湾曲形状を有している
ことを特徴とする請求項１乃至５のいずれかに記載の洗い落し式水洗大便器。
【発明の詳細な説明】
【技術分野】
【０００１】
本発明は、洗い落し式水洗大便器に係り、特に、節水性能に優れた洗い落し式水洗大便器に関する。
【背景技術】
【０００２】
従来より、水洗大便器の一種類として、洗い落し式水洗大便器が知られている。洗い落し式水洗大便器は、水の落差による流水作用で汚物を押し流す、という原理を採用した水洗大便器である。
【０００３】
例えば、特許文献１には、排水トラップ管路に接続される排水ソケットに突出部を設けて、床下配管でのサイホン発生を抑制した洗い落し式水洗大便器が開示されており、特許文献２には、排水トラップ管路のトラップ下降管部の上流端側の底面を下り傾斜面とした洗い落し式水洗大便器が開示されている。
【０００４】
洗い落し式水洗大便器における汚物（排泄物やトイレットペーパーなど）の排出性能は、主として、便器洗浄時に生じるボウル部の溜水の水位差によって決まる。より具体的には、洗浄開始前の溜水の水位と、洗浄開始後に洗浄水が供給された時の溜水の最高水位と、の水位差に応じて、汚物の排出性能が決まる。一般に、水位差が大きいほど、汚物の排出性能は高い。
【先行技術文献】
【特許文献】
【０００５】
【特許文献１】特開２０１６−１７６３２０号公報
【特許文献２】特開２０１８−１１２００４号公報
【発明の概要】
【発明が解決しようとする課題】
【０００６】
近年、水洗大便器においては、より一層の節水化が求められている。しかしながら、洗い落し式水洗大便器においては、洗浄水の量を減少すると、水位差を十分に確保できなくなり、汚物の排出性能が低下してしまうおそれがある。
【０００７】
ここで、排水トラップ管路は、一般に、ボウル部の下方部に一端側が連続するまたは接続された入口管部と、入口管部の他端側に一端側が連続してまたは接続されて上昇流路を形成するトラップ上昇管部と、トラップ上昇管部の他端側に一端側が連続してまたは接続されて下降流路を形成するトラップ下降管部と、を有している。
【０００８】
従来のトラップ上昇管部は、図９に示すように、上昇流路の流路方向に垂直な断面に関して、上昇流路の流路断面積は略一定であった。このような従来のトラップ上昇管部において、節水化をしてしまうと、汚物が上昇管部を昇りきれずに、入口管部まで戻ってきてしまう等のおそれがある。
【０００９】
このように、洗い落し式水洗大便器において、節水化をしつつ、汚物の排出性能を向上させるという点で、排水トラップ管路の形状、特にトラップ上昇管部の流路形状には、改善の余地がある。
【００１０】
本発明の目的は、比較的少ない洗浄水量であっても有効な汚物の排出性能を維持できる洗い落し式水洗大便器を提供することである。
【課題を解決するための手段】
【００１１】
本発明は、汚物を受けるボウル部と、前記ボウル部の下方部に接続された排水トラップ管路と、を備え、前記排水トラップ管路は、前記ボウル部の下方部に一端側が連続するまたは接続された入口管部と、前記入口管部の他端側に一端側が連続してまたは接続されて上昇流路を形成するトラップ上昇管部と、前記トラップ上昇管部の他端側に一端側が連続してまたは接続されて下降流路を形成するトラップ下降管部と、を有しており、前記上昇流路の流路方向に垂直な断面において、前記上昇流路の下流側の一部には、前記上昇流路の上流側の流路断面積よりも大きい流路断面積を有する拡大部が形成されており、前記拡大部は、前記上昇流路の上方側において拡大されており、前記拡大部の頂面の上流側端は、前記上昇流路の底面の最高到達位置よりも低く、且つ、初期水位の溜水面よりも低い位置にあることを特徴とする洗い落し式水洗大便器である。
【００１２】
本発明によれば、便器洗浄時において、洗浄水及び汚物が排水トラップ管路のトラップ上昇管部内へ流れ込む際、上方側において流路断面積が大きくなる拡大部において、上昇流路の最高到達位置を乗り越える前の洗浄水の一部が当該上方側に拡大された領域に流れ込む。このような洗浄水の挙動により、拡大部を通過する汚物に、回転力を与えることができ、上昇流路内を駆け上がるような方向に汚物を転がらせることができる。また、拡大部において、汚物の離散（固まりの分裂）も促される。これらの作用により、比較的少ない洗浄水量であっても、有効な汚物の排出性能を維持することができる。
【００１３】
また、前記上昇流路の下流端には、前記上昇流路の上流側の流路断面積よりも小さい流路断面積を有する縮小部が形成されていることが好ましい。
【００１４】
これによれば、拡大部において広がった洗浄水及び汚物が再び集約されて効果的に整流される。これによっても、汚物の排出性能を高めることができる。
【００１５】
また、前記上昇流路の底面は、前記上昇流路の流路方向に垂直な断面において、前記上昇流路の上流端から少なくとも前記拡大部の上流端まで略同一の曲率半径で形成されていることが好ましい。
【００１６】
ここで、上昇流路の底面における拡大部の上流端とは、上昇流路の流路方向に垂直な線と拡大部の上流端とが交差する流路断面における、上昇周路の底面である。
【００１７】
これによれば、洗浄水及び汚物が上昇流路内を円滑に流れることができる。
【００１８】
また、前記上昇流路の流路方向に垂直な断面に関して、前記上昇流路の前記拡大部の底面は、略一定の断面形状を有していることが好ましい。
【００１９】
これによれば、拡大部において流路断面積が広がっていても、当該拡大部において洗浄水及び汚物の流れが過度に乱れることが効果的に抑制される。
【００２０】
また、前記上昇流路の前記拡大部の頂面の少なくとも一部は、略鉛直方向に延在する壁面によって形成されていることが好ましい。
【００２１】
本件発明者によれば、このような態様で拡大部を形成する場合に、回転力をより効果的に与えることができる。
【００２２】
また、前記上昇流路の前記拡大部の頂面の少なくとも一部は、前記上昇流路の流路方向に垂直な断面において、上に凸の湾曲形状を有していることが好ましい。
【００２３】
これによれば、拡大部において流路断面積が広がっていても、当該拡大部において洗浄水及び汚物の流れが過度に乱れることが効果的に抑制される。
【発明の効果】
【００２４】
本発明によれば、比較的少ない洗浄水量であっても、有効な汚物の排出性能を維持することができる洗い落し式水洗大便器を提供することができる。
【図面の簡単な説明】
【００２５】
【図１】本発明の一実施形態による洗い落し式水洗大便器を示す平面図である。
【図２】図１のＩＩ−ＩＩ線断面図である（但し、貯水タンク４は図示省略）。
【図３】図２のＩＩＩ−ＩＩＩ線断面図である。
【図４】図２のＩＶ−ＩＶ線断面図である。
【図５】図２のＶ−Ｖ線断面図である。
【図６】図２のＶＩ−ＶＩ線断面図である。
【図７】本実施形態による洗い落し式水洗大便器の作用の説明図である。
【図８】本実施形態による洗い落し式水洗大便器の別の作用の説明図である。
【図９】従来のトラップ上昇管部の上昇流路の形状を示す断面図である。
【発明を実施するための形態】
【００２６】
（全体構成）
以下、添付図面を参照して本発明の一実施形態による洗い落し式水洗大便器について説明する。図１は、本発明の一実施形態による洗い落し式水洗大便器を示す平面図であり、図２は、図１のＩＩ−ＩＩ線断面図であり（但し、貯水タンク４は図示省略）、図３は、図２のＩＩＩ−ＩＩＩ線断面図であり、図４は、図２のＩＶ−ＩＶ線断面図であり、図５は、図２のＶ−Ｖ線断面図であり、図６は、図２のＶＩ−ＶＩ線断面図であり、図７は、本実施形態による洗い落し式水洗大便器の作用の説明図であり、図８は、本実施形態による洗い落し式水洗大便器の別の作用の説明図である。
【００２７】
図１乃至図７に示すように、本発明の一実施形態による洗い落し式水洗大便器１は、陶器等からなる便器本体２を備える。便器本体２の後方側の上方には、洗浄水源である貯水タンク４が設置されている。貯水タンク４は、上水道等の給水源（図示せず）に接続されている。
【００２８】
以下の説明において、便器本体２を前方から見た時の右側を「右側」とし、便器本体２を前方から見た時の左側を「左側」としている。
【００２９】
貯水タンク４に設けられた操作レバー（図示せず）を操作することにより、洗浄操作が開始されるようになっている。具体的には、操作レバーの操作によって貯水タンク４の排水弁（図示せず）が開き、貯水タンク４から所定の洗浄水量が、便器本体２の後方側に設けられた供給口２ａに供給されるようになっている。
【００３０】
ここで、所定の洗浄水量は、３．８〜６．０リットル程度であり、従来の一般的な洗い落し式水洗大便器の洗浄水量（例えば、１３リットル程度）より少ない。
【００３１】
なお、貯水タンク４に代えて、規定の洗浄水量を供給できるフラッシュバルブ等の他の給水装置が利用されてもよい。
【００３２】
便器本体２の前方上部には、ボウル部８が形成されている。ボウル部８は、ボウル形状に形成されている汚物受け面１６と、その上縁部に形成されて汚物受け面１６に洗浄水を吐水するリム部１８と、を有している。
【００３３】
本実施形態のリム部１８は、ボウル部８の上縁部の略全周に形成されていて、内側にオーバーハングしている。また、リム通水路底面２５が、ボウル部８の略全周に亘って、内方に向って略平坦な棚状に略水平に形成されている。このような構成により、リム通水路底面２５上を流れる洗浄水が、ボウル部８の上部を一周するような流れを形成することができ、ボウル部８内の各領域にバランス良く洗浄水を導くことができるようになっている。
【００３４】
便器本体２の内部には、当該便器本体２の後方側に設けられた供給口２ａから導入される洗浄水を、リム通水路底面２５上を介してボウル部８内に導くための導水路２０が設けられている。
【００３５】
導水路２０は、主導水路２１と、第１リム導水路２３ａと、第１吐水部２４ａと、第２リム導水路２３ｂと、第２吐水部２４ｂと、を有している。
【００３６】
図１に示すように、主導水路２１は、貯水タンク４の下方から便器前方へ向けて形成されている。主導水路２１は、下流側において、第１リム導水路２３ａと第２リム導水路２３ｂとに分岐されている。これにより、主導水路２１に供給された洗浄水は、第１リム導水路２３ａと第２リム導水路２３ｂとに流入するようになっている。
【００３７】
第１リム導水路２３ａは、ボウル部８の後方から左方へ向けてリム部１８に沿って形成されている。第１リム導水路２３ａの下流側の端部（例えばリム部１８の左方の中央付近）に、第１吐水部２４ａが形成されている。
【００３８】
これにより、主導水路２１から第１リム導水路２３ａへ流入された洗浄水は、平面視で反時計回りに流れ、その後、第１吐水部２４ａからリム通水路底面２５上を流れてボウル部８の汚物受け面１６へ吐水されるようになっている。
【００３９】
第２リム導水路２３ｂは、ボウル部８の後方に形成され、洗浄水の流れ方向を屈曲させる屈曲部位を有している。第２リム導水路２３ｂの下流側の端部（例えばリム部１８の右後方）に、第２吐水部２４ｂが形成されている。
【００４０】
これにより、主導水路２１から第２リム導水路２３ｂへ流入された洗浄水は、平面視で時計回りに流れ、屈曲部位で流れ方向が屈曲（反転）されて反時計回りに流れ、その後、第２吐水部２４ｂからリム通水路底面２５上を流れてボウル部８の汚物受け面１６へ吐水されるようになっている。
【００４１】
このように、本実施形態に係る洗い落し式水洗大便器１は、リム部１８に設けられた第１、第２吐水部２４ａ、２４ｂから洗浄水を吐水し、ボウル部８の汚物受け面１６において旋回流を生じさせることで、ボウル部８の洗浄を行うようになっている。
【００４２】
（排水トラップ管路１４に関する構成）
ボウル部８の下方には、溜水部１２（ボウル部の下方部）が形成され、所定量の溜水が貯留されている。初期水位の溜水面が、Ｗ０で示されている。溜水部１２の下端に、排水トラップ管路１４の入口管部１４ａの一端側が連続しているまたは接続されている。溜水が、封水として機能して、排水トラップ管路１４からの臭気等がボウル部８側へ逆流することを防止している。
【００４３】
入口管部１４ａの他端側は、上昇流路３０を形成するトラップ上昇管部１４ｂの一端側に連続しているまたは接続されている。そして、トラップ上昇管部１４ｂの他端側は、下降流路４０を形成するトラップ下降管部１４ｃの一端側に連続しているまたは接続されている。トラップ下降管部１４ｃの他端側は、床面に設置された排出管（図示せず）に接続されている。
【００４４】
図２に示すように、入口管部１４ａは、側面視において、その底面（管路の最下面）が下に凸の湾曲面となるように形成されており、トラップ上昇管部１４ｂの上流側端の領域も、その底面が下に凸の湾曲面となるように形成されており、両者は互いに滑らかに連続しているまたは接続されている。
【００４５】
また、入口管部１４ａの流路方向に垂直な断面において、入口管部１４ａの底面（管路の最下面）は、下に凸の湾曲面となるように形成されている。
【００４６】
略同様に、図２に示すように、入口管部１４ａは、側面視において、その頂面（管路の最上面）も下に凸の湾曲面となるように形成されており、トラップ上昇管部１４ｂの上流側端の領域の頂面も、下に凸の湾曲面となるように形成されており、両者は互いに滑らかに連続しているまたは接続されている。
【００４７】
また、入口管部１４ａの流路方向に垂直な断面において、入口管部１４ａの頂面（管路の最上面）は、上に凸の湾曲面となるように形成されている。
【００４８】
入口管部１４ａの左右側面とトラップ上昇管部１４ｂの上流側端の領域の左右側面についても、互いに滑らかに連続しているまたは接続されている。
【００４９】
トラップ上昇管部１４ｂは、中間領域においては、斜め上向きに伸びる直管状となっており、上昇流路３０の流路方向に垂直な断面が、図３に示す断面形状で一定となっている（流路幅７８ｍｍ、流路高さ６３ｍｍ）。
【００５０】
本実施形態では、トラップ上昇管部１４ｂの上流側端の領域（湾曲領域）においても、上昇流路３０の流路方向に垂直な断面は、図３に示す断面形状と同一形状である。
【００５１】
そして、上昇流路３０の下流側の一部に、上昇流路３０の上流側の流路断面積（図３に示す断面形状の断面積）よりも大きい流路断面積を有する拡大部３２が形成されている。当該拡大部３２は、上昇流路３０の上方側において拡大されており、図２に示すように、当該拡大部３２の頂面の上流側端Ａは、上昇流路３０の底面の最高到達位置Ｂよりも低い位置にある（高低差約１５ｍｍ）。
【００５２】
より具体的には、本実施形態の拡大部３２の頂面は、上流側端Ａから略鉛直方向に延在する略鉛直壁面３３と、略水平方向に延在する略水平壁面３４と、によって形成されている。略鉛直壁面３３は、平坦形状であるが、略水平壁面３４は、拡大部３２よりも上流側の上昇流路３０の頂面（図３参照）と同様に、上昇流路３０の流路方向に垂直な断面において、少なくとも左右方向中央側の領域に上に凸の湾曲形状を有している（図４参照：流路幅７８ｍｍ、流路最大高さ８０ｍｍ）。
【００５３】
一方、本実施形態の拡大部３２の底面は、上昇流路３０の流路方向に垂直な断面に関して、略一定の断面形状を有しており（図４参照）、拡大部３２よりも上流側の上昇流路３０の底面の断面形状（図３参照）と略同一である。
【００５４】
本実施形態では、更に、上昇流路３０の下流端の領域において、上昇流路３０の上流側の流路断面積（図３参照）よりも小さい流路断面積を有する縮小部３６が形成されている（図５参照：流路幅７８ｍｍ、流路最大高さ６０ｍｍ）。本実施形態では、図５に示すように、縮小部３６の頂面も、上昇流路３０の流路方向に垂直な断面において、左右方向中央側の領域に上に凸の湾曲形状を有している。
【００５５】
拡大部３２から縮小部３６へ滑らかに上昇流路３０の断面形状が移り変わるように、拡大部３２の略水平壁面３４（頂面）と縮小部３６の頂面とは滑らかに連続している（または接続されている）。縮小部３６内において流路断面積は一定となっている（図５参照）。（拡大部３２の下流端から縮小部３６の上流端に至る範囲内の流路断面積は、上昇流路３０の上流側の流路断面積（図３参照）より小さく、且つ、縮小部３６の流路断面積（図５参照）より大きい。）
【００５６】
また、拡大部３２から縮小部３６に至るまで、底面は、略同一の断面形状である（図４及び図５参照）。これにより、上昇流路３０の底面は、当該上昇流路３０の上流端から下流端まで滑らかに形成されている。
【００５７】
また、本実施形態では、下降流路４０の途中に、拡大部３２よりも流路断面積が大きい第２拡大部４２が形成されている（図６参照：流路幅約８３ｍｍ、流路最大高さ１１９ｍｍ）。このような形態は、下降流路４０においてサイホンが発生してしまうことを抑制する。
【００５８】
縮小部３６の下流端（上昇流路３０の下流端）から第２拡大部４２の上流端までは、下降流路４０の流路断面積が滑らかに増大するように、下降流路４０の頂面及び底面のそれぞれが滑らかに連続している。
【００５９】
（作用）
次に、本実施形態による水洗大便器の作用（動作）を説明する。
【００６０】
便器洗浄のため洗浄操作パネル（図示せず）の操作ボタン（図示せず）が操作されると、貯水タンク４に設けられた排水弁（図示せず）が開き、貯水タンク４から所定の洗浄水量（例えば、３．８リットル）が便器本体２の後方側の供給口２ａから便器本体２内の導水路２０へと供給される。
【００６１】
そして、導水路２０へ給水された洗浄水は、主導水路２１を経て第１リム導水路２３ａと第２リム導水路２３ｂとに分岐される。
【００６２】
第１リム導水路２３ａを経て第１吐水部２４ａから吐水される洗浄水は、リム通水路底面２５上を流れてボウル部８の上部を旋回し、旋回しながらリム通水路底面２５から汚物受け面１６に下降して、ボウル部８を洗浄する。
【００６３】
第２リム導水路２３ｂを経て第２吐水部２４ｂから吐水される洗浄水も、リム通水路底面２５上を流れてボウル部８の上部を旋回し、旋回しながらリム通水路底面２５から汚物受け面１６に下降して、ボウル部８を洗浄する。
【００６４】
ボウル部８を洗浄しながら下降した洗浄水は、汚物とともに排水トラップ管部１４から排出される。
【００６５】
ここで、本実施形態の洗い落し式水洗大便器１は、上昇流路３０の流路方向に垂直な断面に関して、上昇流路３０の下流側の一部に、上昇流路３０の上流側の流路断面積よりも大きい流路断面積を有する拡大部３２が形成されており、当該拡大部３２は、上昇流路３０の上方側において拡大されており、拡大部３２の頂面の上流側端Ａは、上昇流路３０の底面の最高到達位置Ｂよりも低い位置にある。
【００６６】
これにより、便器洗浄時において、洗浄水及び汚物が排水トラップ管路１４のトラップ上昇管部１４ａ内へ流れ込む際、上方側において流路断面積が大きくなる拡大部３２において、上昇流路３０の最高到達位置Ｂを乗り越える前の洗浄水の一部が当該拡大部３２の上方側に拡大された領域に流れ込む。このような洗浄水の挙動により、拡大部３２を通過する汚物に、図７に矢印で示すような回転力を与えることができ、上昇流路３０内を駆け上がるような方向に汚物を転がらせることができる。また、拡大部３２において、図８に示すように、汚物の離散（固まりの分裂）も促される。これらの作用により、比較的少ない洗浄水量であっても、有効な汚物の排出性能を維持することができる。
【００６７】
また、本実施形態の洗い落し式水洗大便器１によれば、上昇流路３０の下流端に、上昇流路３０の上流側の流路断面積よりも小さい流路断面積を有する縮小部３６が形成されている。
【００６８】
これにより、拡大部３２において広がった洗浄水及び汚物が再び集約されて効果的に整流され、汚物の排出性能を高めることができる。
【００６９】
また、本実施形態の洗い落し式水洗大便器１によれば、上昇流路３０の底面は、当該上昇流路３０の上流端から下流端まで滑らかに形成されている。
【００７０】
これにより、洗浄水及び汚物が上昇流路３０内を円滑に流れることができる。
【００７１】
また、本実施形態の洗い落し式水洗大便器１によれば、上昇流路３０の流路方向に垂直な断面に関して、上昇流路３０の拡大部３２の底面は、略一定の断面形状を有している。
【００７２】
これにより、拡大部３２において流路断面積が広がっていても、当該拡大部３２において洗浄水及び汚物の流れが過度に乱れることが効果的に抑制される。
【００７３】
また、本実施形態の洗い落し式水洗大便器１によれば、上昇流路３０の拡大部３２の頂面の一部が、上流側端Ａから略鉛直方向に延在する略鉛直壁面３３によって形成されている。
【００７４】
これにより、汚物に対して、図７に矢印で示すような回転力をより効果的に与えることができる。
【００７５】
また、本実施形態の洗い落し式水洗大便器１によれば、上昇流路３０の拡大部３２の頂面の一部が、上昇流路３０の流路方向に垂直な断面において上に凸の湾曲形状を有する略水平壁面３４によって形成されている。
【００７６】
これにより、拡大部３２において流路断面積が広がっていても、当該拡大部３２において洗浄水及び汚物の流れが過度に乱れることが効果的に抑制される。
【符号の説明】
【００７７】
１        洗い落し式水洗大便器
２        便器本体
２ａ      供給口
４        貯水タンク
８        ボウル部
１２      溜水部
１４      排水トラップ管路
１４ａ    入口管部
１４ｂ    トラップ上昇管部
１４ｃ    トラップ下降管部
１６      汚物受け面
１８      リム部
２０      導水路
２１      主導水路
２３ａ    第１リム導水路
２３ｂ    第２リム導水路
２４ａ    第１吐水部
２４ｂ    第２吐水部
２５      リム通水路底面
３０      上昇流路
３２      拡大部
３３      略鉛直壁面
３４      略水平壁面
３６      縮小部
４０      下降流路
４２      第２拡大部
Ａ        拡大部の頂面の上流側端
Ｂ        上昇流路の底面の最高到達位置
【図１】
0006987361.tif 000002
【図２】
0006987361.tif 000003
【図３】
0006987361.tif 000004
【図４】
0006987361.tif 000005
【図５】
0006987361.tif 000006
【図６】
0006987361.tif 000007
【図７】
0006987361.tif 000008
【図８】
0006987361.tif 000009
【図９】
0006987361.tif 000010